(57)【要約】【課題】　本発明の目的は、プラズマディスプレーパネルにおける誤った輪郭づけ作用が修正されることを可能にするビデオのコード化方法を提供することである。【解決手段】　本発明は、表示されたビデオコードの一時的な重心に基づいてＧＣＣコード化性能を改良することを意図するコード化方法に関する。本発明によると、ＧＣＣコード化を実行するために選択できるビデオレベル数は、ビデオレベルのディスプレイフレームでの部分体数を増加することによって増大される。部分体数におけるかかる増大は、ビデオ画像のディスプレイフレームの少なくとも２つの部分体中にＰＤＰの少なくとも２つの隣接する列のセルの同時アドレスによって可能とされる。【選択図】　図９
2004118188.tif 000002
【特許請求の範囲】
【請求項１】
　列とカラムに配置された複数のセルを有するプラズマディスプレイパネルに表示されるビデオ画像のコード化方法であって、前記画像のピクセルのビデオレベルはｎビットのビデオワードによって確定されて、各ビットは状態に依存しており、部分体を特定の時間においてアドレスされるセルを照明するか、又は照明せずに、
　前記パネルの同一カラムと２つの隣接する列に位置するセルのペア（Ｃ１、Ｃ２）によって表示されるビデオレベルＧＬ１及びＧＬ２において、ビデオワードＶＷ１及びＶＷ２は選択されて、前記ワードは、画像を表示する瞬間に同時にアドレスされた少なくとも一つの共通ビットを含んでおり、前記ＧＬ１は前記ＧＬ２より大きく、前記ビデオワードＶＷ１によって生じる照明の一時的な重心が前記ビデオワードＶＷ２によって生じる照明の一時的な重心よりも大きい場合、前記ビデオレベルＧＬ１及びＧＬ２に等しいか、又は、ほぼ等しいレベルに対応することを特徴とする方法。
【請求項２】
　前記選択されたビデオワードＶＷ１及びＶＷ２は、ｋの共通ビットを含み、該共通ビットの各々は、ｋは１よりも大きく、共通の部分体と呼ばれる間に２つのセルのペアに同時にアドレスされることを特徴とする請求項１に記載の方法。
【請求項３】
　前記ビデオワードＶＷ１及びＶＷ２を選択するために、
　（ａ）前記ビデオレベルの増加に対応して一時的な重心が連続的に増大する１セットのビデオワードｐが確定される段階と、
　（ｂ）対応するビデオレベルＧＬ１´及びＧＬ２´が前記ビデオレベルＧＬ１及びＧＬ２に対してそれぞれ等しいか又はほぼ等しい、ビデオワードが前記ビデオワードｐから決定される段階と、
　（ｃ）前記段階（ｂ）で決定された一つ以上の前記ビデオワードが選択される段階と、並びに
　（ｄ）前記一時的な重心及びビデオレベルが、前記段階（ｃ）で選択されない前記ビデオワードの一時的な重心及びビデオレベルに近接するビデオワードは、前記共通の部分体において選択された前記ビデオワードと同じ値のビットを有するすべて可能なビデオワードから選択される段階とで実行されることを特徴とする、請求項２に記載の方法。
【請求項４】
　前記ビデオワードＶＷ１及びＶＷ２を選択するために、
　（ａ）前記ビデオレベルの増加に対応して一時的な重心が連続的に増大する前記１セットのビデオワードｐが確定される段階と、
　（ｂ）前記対応するビデオレベルＧＬ１´及びＧＬ２´が前記ビデオレベルＧＬ１及びＧＬ２に対してそれぞれ等しいか又はほぼ等しい、前記ビデオワードのペアが前記ビデオワードｐから決定される段階と、並びに
　（ｃ）前記一時的な重心及び前記ビデオレベルが前記段階（ｂ）で決定された前記ビデオワードのペアにおける一時的な重心及びビデオレベルに近接する前記ビデオワードのペアは、前記共通の部分体において選択される前記ビデオワードと同一値を備えるビットを有するすべての可能なビデオワードから選択される段階とで実行されることを特徴とする、請求項２に記載の方法。
【請求項５】
　前記コード化方法を請求項１乃至４の何れか一つにしたがって実行することを特徴とするプラズマディスプレイのためのコード化システム。
【発明の詳細な説明】
【技術分野】
【０００１】
　本発明は、プラズマディスプレーパネルにおける誤った輪郭づけ作用が修正されることを可能にするビデオのコード化方法に関係がある。より詳細には、個別のアドレス及び表示を備えた種類のパネルに関する。
【背景技術】
【０００２】
　プラズマディスプレイパネル（ＰＤＰｓ）技術は、大型のフラットディスプレイスクリーンの製造を可能にする。ＰＤＰｓは、一般的に２つの絶縁板を含み、かかる絶縁板は、それら板の間に障壁リブによって境界づけされた基本空間が確定される、ガスに充填された空間を確定する。２つの板のうちの一つの板は、列電極のアレイを備えて提供され、もう一方の板はカラム電極のアレイを備えて提供される。基本セルは、基本空間の各側に位置した、少なくとも列電極とカラム電極を備えて提供される基本空間に対応する。基本セルを活性化するために、セルの列電極とカラム電極との間に電圧を適用することによって、電気的な放電は対応する基本空間で生じる。次いで、電気的な放電は、基本セルで紫外線の放射を引き起こす。セルの壁に堆積された発光体は、紫外線を可視光線に変換する。セルは、その壁に堆積された発光体の特質に依存して、赤であるか、緑であるか、又は青であろう。
【０００３】
　陰極線管又はビデオレベルがセルの電極に適用された電圧信号の振幅を変調することによって獲得される液晶スクリーンと違って、ＰＤＰは、イグニッションの持続期間を変調することによってビデオレベルを制御するか、又はビデオフレーム中にセルの時間通りにビデオレベルを制御し、すなわち、セルに含まれるガスが所望のグレーレベルに依存して長時間又は短時間で励起される。次いで、人の目はグレーレベルを再現するために時間の統合を実行する。
【０００４】
　結果として、ＰＤＰのセルは２つの状態だけを有し、オン（励起された）状態か、又はオフ（励起されていない）状態である。点火の所望の持続期間にわたる保持パルスと呼ばれる、一連のパルスを送ることによって、セルはそれらの状態のうちの一方で維持される。セルは、一般的にアドレスパルスと呼ばれる、より高い電気パルスを送ることによってアドレスされる。セルの消滅又は抹消は、減衰した放電を使用してセル内部の充電を除去することによって達成される。
【０００５】
　様々なグレーレベルは、ビデオフレームの間にセルの連続したオンオフ状態の持続期間を変調することによって得られる。フレームは、各セルがオン又はオフのいずれかである間に、部分体と呼ばれる期間に分割される。所望のグレーレベルを再現するために、人の目はセルの照明期間を統合する。
【０００６】
　図１はビデオフレーム内の部分体の従来組織を示す。ビデオフレームの持続期間Ｔは、領域に依存して１６．６又は２０ｍｓである。２５６の可能なグレーレベルで画像を表示するために、ＳＦ１乃至ＳＦ８で表示される、最小限の８つの部分体はフレームに提供される。各部分体は、複数の基本的な持続期間Ｔ０である、照明期間の持続期間Ｔｉｌにおけるセルを順次使用するか、又は順次使用しない。各部分体は、かかる目的においてアドレス期間の持続期間Ｔａｄ及び照明期間の特定の持続期間Ｔｉｌ（図で陰影された）を含む。持続期間Ｔａｄはすべての部分体と同一であり、Ｎ１が画像におけるライン数であり、Ｔａｅがラインアドレス時間である場合のＮ１ｘＴａｅに等しい。一方で、持続期間Ｔｉｌは各部分体に特異的であり、ｐが対象となる部分体の質量を表示する整数である場合、ｐｘＴ０に等しい。図１に示される実施例において、部分体ＳＦ１、ＳＦ２、ＳＦ３、ＳＦ４、ＳＦ５、ＳＦ６、ＳＦ７、及びＳＦ８は、それぞれの質量として１、２、４、８、１６、３２、６４、及び１２８を有する。したがって、各色の構成部分（Ｒ又はＧ又はＢ）のビデオレベルは８ビットワードによって表示され、各ビットはフレームの一つの部分体と関連している。当然のこととして、多数の部分体又は異なる質量の部分体を有する部分体の別の組織が使用されてもよい。
【０００７】
　かかるＰＤＰ技術は薄型の大型スクリーンを製造する可能性を提供するが、しかしながら、表示される画質を劣化する問題を有する。これらの問題は、ビデオフレームの段階にわたる照明期間の時間統合に関連する。数多の連続的な画像においてスクリーンが移動するポイントで特に誤った輪郭づけの問題が生じる。この欠損は通常、かろうじて感知できるグレーレベルの遷移で、より暗いか又はより明るいバンドの表れによって画像に明示される。
【０００８】
　この誤った輪郭づけの問題は、１２７のグレーレベルと１２８のグレーレベルとの間の遷移を有する、２つの連続するフレームＦ及びＦ＋１における部分体を示す、図２で例示される。この遷移は、２つのフレーム間を４ピクセルで移動する。図において、ｙ軸は時間軸を表し、ｘ軸はフレーム段階で表示される画像のピクセルを表す。目によって実行される統合は、目が動く遷移を追う傾向を有するので、図において示される斜線に沿った時間とともに統合することになる。したがって、目は、異なるピクセルからの情報を統合する。統合の結果は、グレーレベル１２７と１２８との間の遷移の瞬間におけるゼロに等しいグレーレベルの表現を与える。ゼロのグレーレベルによるかかる径路は、遷移で暗いバンドを生じる。反対に、遷移がレベル１２８から１２７に通過する場合、明るいバンドに対応するレベル２５５は遷移の瞬間に表現される。
【０００９】
　統合誤差を減少するために、この欠損を修正する第一の解決策は、高質量の部分体の“ブレイキング”に存する。図３は図２と同一の遷移を示すが、質量３２、６４及び１２８の３つの部分体に代わって質量３２の７つの部分体を備える。次いで、最大の統合誤差は、３２のグレーレベル値である。グレーレベルを異なって分配することがさらに可能であるが、しかし常に統合誤差がある。
【００１０】
　従来、誤った輪郭づけ作用は、画像ピクセルのブロックにおける移動ベクターを決定する、移動の評価システムを使用することによって補償される（例えば、特許文献１参照。）。それらの移動ベクトルは、ＰＤＰの基本セルに伝達されるデータを修正するために使用される。特許文献１の基本的な考えは、画像の表示中に目の動きを検出することであり、さらに、目が正確な情報を統合するようにセルに移動の補償データに伝達することである。この技術は図４に示される。この修正は、画像間の観察された動作によって人間の目が実行する統合を予期するように、空間的に部分体を移動させることになる。部分体は、ビデオフレームでの質量と、一時的な位置にしたがって異なって移動される。この解決策は、画像の各ピクセル又はピクセルの各ブロックにおいて移動ベクターを計算する、移動の評価システムを必要とする。各ピクセルにおいて、対応する移動ベクターは、移動ベクターの方向で関連するコードワードをシフトするために使用される。画像のピクセルにおけるコードワードは、したがって再計算される。この解決策は、誤った輪郭づけの作用を引き起こすが、しかし早い計算速度の移動の評価システムの実行を必要とする、遷移において良好な結果を与える。この評価システムは比較的高価であり、そんなに容易く生成されない。
【００１１】
　誤った輪郭づけの作用を補償するための別の解決策は、「増加のコード化」と呼ばれる新規の種類のコード化に基づく。かかるコード化方法は、従来の実施例において記載されている（例えば、特許文献２参照。）。この方法において、ほんのわずかな数のコードワードだけがスクリーンで画像を表示するために使用される。使用されるコードは、２つのオン（それぞれオフ）の部分体間にオフ（それぞれオン）の部分体を含まない特徴を有する。この特徴は、誤った輪郭づけの作用を完全に消去することを可能にするが、しかしながら、使用できる多数のコード（ｎの部分体のフレームにおいてｎ＋１が可能なコード）がかなり限定される。別のコード（使用できない）に対応するグレーレベルは、当業者に周知の誤差拡散又は「ディザー」によってスクリーンに再構成される。このコード化の主な問題は、スクリーンに表示できるグレーレベルの数がわずかなことであり、ディザー技術は画像の失われたグレーレベルが回復されることを必ずしも可能にするとは限らないことである。
【００１２】
　さらに新規なコード化を使用して、よりディザーでないノイズを導入する最後の解決策がある（例えば、特許文献３参照。）。かかる新規のコード化は、ｎ＜ｍ＜ｐの場合にｎの部分体を有するフレーム構造を備えて表示できる、ｐビデオレベルからｍビデオレベルを選択することを含む。コードワードによって生じる照明の一時的な重心が、第一の所定の限界値まで降下した低ビデオレベル及び／又は第二の所定の限界値からの高ビデオレベルを覗いて、ビデオレベルで連続的に増加するように、ｍビデオレベルは選択される。これは、ＧＬ１＞ＧＬ２のように選択されたレベルｍに属する２つのレベルＧＬ１及びＧＬ２において、レベルＧＬ１と関連するコードワードの一時的な重心が、レベルＧＬ２と関連するコードワードの一時的な重心よりも高いことを意味する。
【００１３】
　コードワードによって生じる照明の一時的な重心は、下記の式によって計算される。
【数１】
2004118188.tif 000003
式中、
　−ＣＧ（コード）は当該コードワードの重心であり、
　−Ｗ（ＳＦｉ）はフレームのｉ番目の部分体の質量を表し、
　−ｄｉ（コード）は、ｉ番目の部分体が当該コードである場合に１に等しく、そうでなければ０であり、
　−ＣＧ（ＳＦｉ）はｉ番目の部分体の重心である。
【００１４】
　ＣＧ（ＳＦｉ）のｉ番目の部分体の重心は、下記の方法で計算される。
【数２】
2004118188.tif 000004
式中、
　−ＤＧ（ＳＦｉ）はｉ番目の部分体の開始点の時間であり、
　−Ｄｕｒ（ＳＦｉ）はｉ番目の部分体の持続期間である。
【００１５】
　ここより下記においてＧＣＣ（重心コード化）と呼ばれる、かかるコード化を用いて、ビデオレベルの機能として選択されたコードの重心を示す曲線は、少なくとも第１と第２の所定の極限値間で単調であり、それによって誤った輪郭づけ作用を消去することを可能にする。さらに、かかるコード化で表示できるビデオレベル数は、増加のコード化を用いるよりも多数であり、それによってディザーノイズを減少することを可能にする。
【００１６】
　ＧＣＣコード化は図５乃至７に例示される。図５は、１１の部分体からなり、それら部分体の質量がそれぞれ１−２−４−７−１１−１６−２３−３２−４３−５６−６０である、フレーム構造を備えることが可能である、すべてのビデオワードの一時的な重心を示す。ｙ軸は重心値を表し、ｘ軸はコードワードのビデオレベルを表す。１１の部分体が存在するので、それらは２１１であり、つまり、２５６のビデオレベルにおける２０４８の可能なコードの組み合わせである。したがって、各ビデオレベルに対応することは一つ以上のコードワードであり、したがって一つ以上の重心である。重心は、上に記載の式から計算される。この計算において、各部分体のアドレス及び消去する１ｍｓの全体の時間及び５．１０ｍｓの最大照明時間Ｔｍａｘ（フレームのすべての部分体の照明期間の合計に対応する）が考慮され、質量１の部分体において０．０２ｍｓの照明時間と、質量２の部分体において０．０４ｍｓの照明時間と、…、及び質量６０の部分体において１．２ｍｓの照明時間とを与える。次いで、対応するフレームは、周波数が６０Ｈｚに対応し、１６．１ｍｓの持続時間を有する。
【００１７】
　図６は、各ビデオレベルにおける最低の重心値を示す。これは、より小さい質量の部分体が使用されるので、最も少い誤りの輪郭づけ作用を導入することが理由であるので、最低重心を有するビデオワードのビデオレベルをコード化するために使用することが一般的であるからである。認識されるように、そのような値によって確定される曲線は単調でなく、むしろ誤りの輪郭づけ作用を必然的に導入する飛び越しを有する。
【００１８】
　図７で示されるように、単調な重心曲線を得るように、ＧＣＣコード化は限定された数のビデオレベルだけを選択することによって、上に記載の誤った輪郭づけ作用を削除することを目的とする。選択されたビデオレベルは、図において小さい黒点によって識別される。
【００１９】
　かかる図に見られるように、ＧＣＣコード化と合致するレベル数は比較的わずかである。したがって、選択されたビデオレベル数はわずか少数であり、ビデオ画像を表示する際には常にディザーノイズが存在することを意味する。
【特許文献１】欧州特許出願第０９７８８１７号
【特許文献２】欧州特許出願第９５２５６９号
【特許文献３】欧州特許出願第０１２５０１５８．１号
【発明の開示】
【発明が解決しようとする課題】
【００２０】
　本発明の目的は、上に記載の欠点を緩和することである。
【課題を解決するための手段】
【００２１】
　本発明によると、各ビデオレベルにおいてコード数を可能な限り増大するように、ＰＤＰのセルの最大の照明時間Ｔｍａｘを下げることせずに、フレームの部分体数を増加することを提案する。したがって、ＧＣＣコード化を実行するために選択できるビデオレベル数は増大される。
【００２２】
　本発明によると、部分体数のかかる増大は、ビデオ画像の表示フレームの少なくとも２つの部分体においてＰＤＰの少なくとも２つの隣接するラインのセルを同時にアドレスすることによって可能とされる。
【００２３】
　したがって、本発明は、列とカラムに配置された複数のセルを有するプラズマディスプレイパネルに表示されるビデオ画像のコード化方法であって、画像のピクセルのビデオレベルはｎビットのビデオワードによって確定されて、各ビットは状態に依存しており、部分体を特定の時間においてアドレスされるセルを照明するか、又は照明しない。パネルの同一カラムと２つの隣接する列に位置するセルのペア（Ｃ１、Ｃ２）によって表示されるビデオレベルＧＬ１及びＧＬ２において、ビデオワードＶＷ１及びＶＷ２は選択されて、かかるワードは、画像を表示する瞬間に同時にアドレスされた少なくとも一つの共通ビットを含んでおり、ＧＬ１＞ＧＬ２であり、ビデオワードＶＷ１によって生じる照明の一時的な重心がビデオワードＶＷ２によって生じる照明の一時的な重心よりも大きい場合にビデオレベルＧＬ１及びＧＬ２に等しいか、ほぼ等しいレベルに対応する。
【００２４】
　選択されたビデオワードＶＷ１及びＶＷ２は、好ましくはｋの共通ビットを含み、各共通ビットは、ｋは１よりも大きく、ビデオフレームの共通の部分体と呼ばれる間に２つのセルのペアに同時にアドレスされる。
【００２５】
　第一の実施態様によると、ビデオワードＶＷ１及びＶＷ２を選択するために、下記の段階が実行され、それら段階は
　（ａ）ビデオレベルの増加に対応して一時的な重心が連続的に増大する１セットのビデオワードｐが確定される段階と、
　（ｂ）対応するビデオレベルＧＬ１´及びＧＬ２´がビデオレベルＧＬ１及びＧＬ２に対してそれぞれ等しいか又はほぼ等しい、ビデオワードが前述のビデオワードｐから決定される段階と、
　（ｃ）段階（ｂ）で決定された一つ以上のビデオワードが選択される段階と、並びに
　（ｄ）一時的な重心及びビデオレベルが、段階（ｃ）で選択されないビデオワードの一時的な重心及びビデオレベルに近接するビデオワードは、共通の部分体において選択されたビデオワードと同じ値のビットを有するすべて可能なビデオワードから選択される段階とである。
【００２６】
　第二の実施態様によると、ビデオワードＶＷ１及びＶＷ２を選択するために、下記の段階が実行され、それら段階は
　（ａ）ビデオレベルの増加に対応して一時的な重心が連続的に増大する１セットのビデオワードｐが確定される段階と、
　（ｂ）対応するビデオレベルＧＬ１´及びＧＬ２´がビデオレベルＧＬ１及びＧＬ２に対してそれぞれ等しいか又はほぼ等しい、ビデオワードのペアが前述のビデオワードｐから決定される段階と、
　（ｃ）一時的な重心とビデオレベルが段階（ｂ）で決定されたビデオワードのペアの一時的な重心とビデオレベルに近接するビデオワードのペアは、共通の部分体において選択されるビデオワードと同一値を備えるビットを有するすべての可能なビデオワードから選択される段階である。
【００２７】
　本発明はまた、本発明のコード化方法を実行するためのシステムに関連する。
【発明の効果】
【００２８】
　本発明は、プラズマディスプレーパネルにおける誤った輪郭づけ作用が修正されることを可能にするビデオのコード化方法を提供することができる。
【発明を実施するための最良の形態】
【００２９】
　本発明の上に記載の特徴及び利点は、添付図と共に下記の詳細の記載からより明白になるであろう。
【００３０】
　本発明によると、ＧＣＣコード化の性能を改善するためにフレームの部分体数を増加し、より詳細には、画像を表示するために使用されるビデオレベルの選択（数と値に関して）を改善することを意図する。例えば、部分体数は、すでに１４（１６３８４の可能なコードワード）まで記載されたように、１１（２０４８の可能なコードワード）から増大される。
【００３１】
　例えば、１４の部分体を有するフレーム構造が確定され、それらの質量は、１−２−４−５−８−１０−１６−２０−２０−２９−３０−３０−４０−４０である。１１の部分体を有する以前の構造を備える２０４８に代わって、この構造は、１６３８４の可能なコードワードの使用を可能にする。それによって、各ビデオレベルにおいて可能なコードワード数は、実質的に増大する。図８は、それら１６３８４コードワードの重心を示す。
【００３２】
　具体例を与えるために、事前の３つに代わって、ビデオレベル２５における８つのビデオワードがある。ビデオワードは、これより後に値の合計の形態で表されて、各値は値に等しい質量を有する部分体の活性化に対応する。
【００３３】
　１１の部分体構造で、ビデオレベル２５をコード化するためのビデオワードは、
　２５＝１＋２＋４＋７＋１１であるか、
　又は、２＋７＋１６であるか、
　又は、２＋２３である。
【００３４】
　ビデオレベル２５は、下記の組み合わせの一つによりコード化可能であり、それらは
　２５＝１＋２＋４＋８＋１０であるか、
　又は、２＋５＋８＋１０であるか、
　又は、１＋８＋１６であるか、
　又は、４＋５＋１６であるか、
　又は、１＋４＋２０（１）であるか、
　又は、１＋４＋２０（２）であるか、
　又は、５＋２０（１）であるか、
　又は、５＋２０（２）である。
【００３５】
　２０（１）及び２０（２）は、質量２０の第一及び第二部分体の質量をそれぞれ示す。
【００３６】
　したがって、ほとんどのビデオレベルにおいて、可能なビデオワード数は増大する。
【００３７】
　ＧＣＣコード化を実行するために、選択されたコードの一時的な重心がわずかに増大する、高いビデオレベルが可能なすべてのビデオワードから選択されることを除いて、ＧＣＣコード化の基準に合致するワードのある数、すなわち、選択されたビデオワードの一時的な重心は、対応するビデオレベルの増大につれて増大されるべきである。
【００３８】
　図９は、選択例を示す。ビデオワード数が以前よりも多大であり、多数のビデオレベルを選択することが可能であることが与えられる。表示可能なビデオレベルの増大した数は、画像の表示中にディザーノイズを削減することに寄与するであろう。図９に示される実施例において、６４のビデオレベルに対応する６４のビデオワードが選択された。
【００３９】
　フレームの持続期間の増大であるか、最大の照明時間Ｔｍａｘの減少を伴わない１１に代わって１４の部分体を得るために、解決策は、フレームの６の部分体にわたってＰＤＰの２つの隣接するラインの同時アドレスに存する。通常、この技術は文献において、「ビットラインリピート」と呼ばれる。それら６つの部分体におけるアドレス時間は、２つに分割されて、３つの部分体のアドレスに対応する。残りの記載において、ＰＤＰのセルの２つの隣接ラインが同時にアドレスされる間の部分体は、共通部分体と呼ばれるだろう。別の部分体は、特定の部分体と呼ばれるだろう。
【００４０】
　実際に、３つの追加的な部分体を加えることは、さらに３つの追加的な削除時間を追加することを意味するので、７又は８の共通部分体を提供することは代わりに必要である。多数の部分体の使用は、照明に関して時間の節約をさらに可能にして、したがって、パネルの明るさを増大する。
【００４１】
　ＧＣＣコード化技術及びビットラインリピート技術の組み合わせは必要としないが、しかしながら、必ずしも、優先的に互換性であるとは限らないので、画像前の特定の処理が表示される。
【００４２】
　かかる非互換性及び処理は、下記の応用の実施例において記載されるだろう。例えば、特定の部分体である下線の質量の部分体と他は共通の部分体である、１−２−４−５−８−１０−１６−２０−２０−２９−３０−３０−４０−４０を考慮する。
【００４３】
　ＧＣＣコード化の原理にしたがって、１セットのビデオワードが選択される。かかるセットは、例えば、特に、下記のコード及び一時的な重心値を有する３８−４４−５０−５７−６５のグレーレベルを含む
【数３】
2004118188.tif 000005
　目的は、グレーレベル４２及び６０をコード化することであり、かかる２つのグレーレベルはＰＤＰの連続するラインに属する隣接するセルに関連する。
【００４４】
　この実施例において、ＧＣＣコード化によって可能になった最も近隣の値は、値４４及び５７である。このコード化は、ある部分体が共通であり、その他のものが特異的であるという事実を考慮に入れない。
【００４５】
　フレームの共通及び特異的な部分体は、同時に表示されるためにＧＣＣコード化によって取り入れられたコードを備えたグレーレベル４４及び５７を容認しない。また、グレーレベル４２及び６０を表示することができない。せいぜい、下記のコードを備える値４１及び６１を表示することが可能である。
【００４６】
　４１＝１＋２＋４＋８＋１０＋１６
　６１＝１＋２＋４＋８＋１０＋１６＋２０
　数多の解決策は、この非互換性問題を解決することを目的とされている。
【００４７】
　第一の解決策：
　例えば、値４４のコードワードで開始して、目的は、フレームの部分体のつながりあいに関し、５７に近接する値を有する、コードを見つけることである。したがって、値５９は、３つの可能なコードで見つけられ、つまり、
【数４】
2004118188.tif 000006
であり、４０（１）及び４０（２）は、質量４０の第一及び第二部分体の質量をそれぞれ示す。値５７の一時的な重心に近隣の一時的な重心を有する値５９のコード、つまり１＋２＋１０＋１６＋３０は選択される。
【００４８】
　第二の解決策：
　手続きは、フレームの部分体のつながりあいに関する値４１及び６１のコードで、かかる時を開始する。すなわち、
　上に示されたコードは、
【数５】
2004118188.tif 000007
だけでなく、
【数６】
2004118188.tif 000008
であるか、又は
【数７】
2004118188.tif 000009
であるか、又は
【数８】
2004118188.tif 000010
である。
【００４９】
　最後に、コードのペア（４１、６１）の一時的な重心は、ペア（４４、５７）の一時的な重心に可能な限り近隣であり、例えば、一時的な重心の合計がペア（４４、５７）の一時的な重心に可能な限り近いペアが選択される。
【００５０】
　変形として、かかる解決策は拡張されて、ペア（４１、６１）よりも他のペアに適用されてよい。例えば、ペア（４２、６２）又は（４０、６０）は、ペア（４１、６１）と比較して、ビデオレベルのペアのどちらか又は両者で多大な誤差を導く。重心曲線からの距離が最も短いビデオワードのペアは、したがって、ビデオワードのすべての可能な限りのペアから選択される。ペア（４１、３１）と関連するビデオワードのペアのどれもＧＣＣコード化基準に合致しない場合、この解決策は好ましく適用される。
【００５１】
　非常に多くの構造が、本発明の方法を実行するために可能である。上の解決策を採用する処理回路は、図１０及び１１に示される。
【００５２】
　図１０に示されるシステムは、第一解決策を採用する。第一ブロック１００において、ビデオ信号は逆のガンマ関数によって修正される。これは、二次的である陰極線管を備えるテレビセットの強度反応特性と違って、ＰＤＰが直線の強度反応特性を有するために、必要である。この逆のガンマ修正の目的は、カメラ内で適用されるガンマ修正を改良することである。
【００５３】
　次いで、ビデオ信号は誤差拡散及び量子化ブロック２００によって処理される。このブロックの機能は、ＧＣＣコード化と一致してビデオレベルの限定数だけを含むように、ビデオ信号を変換することである。したがって、ビデオ信号は、ビットラインリピート技術を実行するためのコード化ブロック３００に伝達される。かかるコード化ブロックは２つの入力を有し、例えば、第一の入力は画像の奇数ラインのためのコードを受けるようにされており、第二の入力は偶数ラインのためのコードを受けるようにされている（同時に、２つの隣接するラインをアドレスする場合）。コード化ブロック３００において同時に処理される画像の隣接ラインのために、一つのラインによって画像の奇数ラインを遅れるようにラインメモリ４００は提供される。ブロック３００の機能は、ブロックの第一入力において存在するコードのビデオレベルと一時的な重心に近隣である、ビデオレベルと一時的な重心を有し、第二入力に存在するコードとして共通の部分体における同一のビット値を有する、コードのために探索することである。次いで、この新規のコードとブロックの第二入力において存在するコードは、ＰＤＰの画像メモリに伝達される。
【００５４】
　図１１は、上に記載の第二解決策を実行できるシステムを示す。このシステムにおいて、ビデオ信号は、逆のガンマ修正をビデオ信号にさせる、ブロック１１０によって最初に処理される。修正されたビデオ信号は、ビットラインリピート技術を実行するためのコード化ブロック２１０に伝達される。同様に、ブロック３００は２つの入力を有し、例えば、第一の入力は画像の奇数ラインを受けるようにされており、第二の入力は偶数ラインを受けるようにされている（同時に、２つの隣接するラインをアドレスする場合）。画像の奇数ラインは、ラインメモリ３１０による一つのラインによって遅れさせられる。ブロック２１０は、受けるビデオレベルの各ペアにおいて、画像表示の瞬間でのある部分体のつなぎあいに関する近隣のビデオレベルを有するビデオワードのペアを決定する。それらのすべてのペアは、所定の単調の重心曲線からの距離が最も短いビデオワードのペアから、選択するためのブロック４１０に送られる。結果は、ＰＤＰの画像メモリに送られる。
【００５５】
　図１０及び１１に示される回路図は、単に実施例の手法で与えられ、多くの選択的な形態が代用されるかもしれない。
【図面の簡単な説明】
【００５６】
【図１】ＰＤＰのビデオ画像においてディスプレイフレームを形成する部分体を示す図である。
【図２】ＰＤＰのビデオ画像を表示中の誤った輪郭作用を例示する図である。
【図３】誤った輪郭作用を限定するための第一及び第二の周知の解決策を例示する図である。
【図４】誤った輪郭作用を限定するための第一及び第二の周知の解決策を例示する図である。
【図５】ＧＣＣコード化と呼ばれる第三の周知の解決策を例示する図である。
【図６】ＧＣＣコード化と呼ばれる第三の周知の解決策を例示する図である。
【図７】ＧＣＣコード化と呼ばれる第三の周知の解決策を例示する図である。
【図８】対応するビデオレベルの機能として１４の部分体フレーム構造を備えて可能である１６３８４ビデオワードの一時的な重心を示す図である。
【図９】１４の部分体構造を備える本発明により選択されたビデオワードを例示する図である。
【図１０】本発明の方法を実行するための２つの回路を例示する図である。
【図１１】本発明の方法を実行するための２つの回路を例示する図である。
【符号の説明】
【００５７】
　１２７　グレーレベル
　１２８　グレーレベル
【図１】
2004118188.tif 000011
【図２】
2004118188.tif 000012
【図３】
2004118188.tif 000013
【図４】
2004118188.tif 000014
【図５】
2004118188.tif 000015
【図６】
2004118188.tif 000016
【図７】
2004118188.tif 000017
【図８】
2004118188.tif 000018
【図９】
2004118188.tif 000019
【図１０】
2004118188.tif 000020
【図１１】
2004118188.tif 000021